(57)【要約】【課題】保持器を構成する部材の数を最小限にするとともに部材の形状の簡易化により、製造コストを低減できるようにした、軸受の波形保持器を提供する。【解決手段】転動体３０を保持する湾曲した保持部１１，２１と平坦な結合部１２，２２とが交互に円環状に形成された一対の保持部材１０，２０の一方は、結合部１２に穿設された貫通孔１３を有し、一対の保持部材１０，２０の他方は、結合部２２に一方の保持部材１０の貫通孔１３に挿入される、筒状に突出した結合突起部２３を有し、貫通孔１３に挿入した結合突起部２３の先端側を拡径して加締めることによって一対の保持部材１０，２０を結合固定する。【選択図】図１
2013142450.tif 000002
【特許請求の範囲】
【請求項１】
軸受の外輪と内輪との間に介装され、複数の転動体を挟むようにして分離保持する波形保持器において、
転動体を保持する湾曲した保持部と平坦な結合部とが交互に円環状に形成された一対の保持部材を備え、
前記一対の保持部材の一方は、前記結合部に穿設された貫通孔を有し、
前記一対の保持部材の他方は、前記結合部に前記一方の保持部材の前記貫通孔に挿入される、筒状に突出した結合突起部を有し、
前記一対の保持部材は、前記貫通孔に挿入した前記結合突起部の先端側を拡径して加締めることによって結合固定したことを特徴とする波形保持器。
【請求項２】
軸受の外輪と内輪との間に介装され、複数の転動体を挟むようにして分離保持する波形保持器において、
転動体を保持する湾曲した保持部と平坦な結合部とが交互に円環状に形成された一対の保持部材を備え、
前記一対の保持部材の一方は、前記結合部に前記保持部が湾曲する方向に拡径するよう穿設された貫通孔を有し、
前記一対の保持部材の他方は、前記結合部に前記一方の保持部材の前記貫通孔に挿入される、筒状に突出した結合突起部を有し、
前記一対の保持部材は、前記貫通孔に挿入した前記結合突起部の先端側を拡径して加締めることによって結合固定したことを特徴とする波形保持器。
【請求項３】
前記貫通孔の拡径角度は、略３０度であることを特徴とする請求項２に記載の波形保持器。
【請求項４】
前記結合突起部は、前記貫通孔に挿入して加締めたときに先端が前記貫通孔から突き出ない長さであることを特徴とする請求項２または３に記載の波形保持器。
【請求項５】
前記請求項１から４のいずれか一項に記載の波形保持器を備えた軸受。
【発明の詳細な説明】
【技術分野】
【０００１】
本発明は、軸受の外輪と内輪との間に介装され、複数の転動体を挟むようにして分離保持する波形保持器および該波形保持器を備えた軸受に関する。
【背景技術】
【０００２】
従来の波形保持器としては、例えば特許文献１〜３に開示されているようなものがある。  
すなわち、特許文献１の転がり軸受用波形保持器は、第一の素子を構成する各平板部の外周縁から突出する各爪片を、第二の素子を構成する各平板部に向けて折り返し、これら各爪片の一部を第二の素子を構成する各平板部の側面に加締め付けて第一、第二の両素子同士を結合固定しており、各爪片の折り返した部分のうち、第二の素子を構成する各平板部の側面と対向する部分を、ほぼ全面に亙り、これら各平板部の側面に密接させるようにしたものである。これにより、第一、第二の素子を分離させる方向の力が繰り返し作用する場合でも、爪片の一部に破損が生じる事を防止して、軸受用波形保持器の耐久性並びに信頼性を十分に確保できるようにしている。
【０００３】
また、特許文献２の保持器は、略円弧状に膨出させた保持部と略平坦状に延出させた結合部とを周方向に沿って交互に連続させた一対の波状環を対向配置させると共に、その結合部相互を貫通して形成されたリベット孔にリベットを挿入した状態で、当該リベットに加締め処理を施して波状環同士を結合固定したものである。
【０００４】
さらに、特許文献３の玉軸受用波形保持器は、玉を受ける複数のポケットと隣り合うポケット間に延びる平面部から成る環状の一対の金属製波形保持板を結合固定してなるものであり、向かい合う平面部同士を電気溶接して結合固定したものである。
【先行技術文献】
【特許文献】
【０００５】
【特許文献１】特開平１１−３２５０７９号公報
【特許文献２】特開２００９−８１６４号公報
【特許文献３】実公昭４６−３５６８３号公報
【発明の開示】
【発明が解決しようとする課題】
【０００６】
しかしながら、特許文献１に開示された軸受用波形保持器では、保持器の一方の素子には、平板部の周縁から直径方向外側に突出する爪片を備えており、製造時のブランク素材はもう一方の素子に比べて多く必要になり、また、爪片を備えることで複雑なブランク形状となるので、製造コストが上昇するという問題点があった。
【０００７】
また、特許文献２に開示された保持器では、波形状の２つの素子とこの２つの素子を結合固定するための第３の素子としてのリベットを備えており、２つの素子は同一のものとすることができるので、その点で製造コストの上昇を防ぐことができるが、第３の素子であるリベットが必要である点では製造コストの上昇を招くという問題点がある。また。２つの素子を組み付けるためにリベットを挿入する工程と、挿入したリベットで２つの素子を結合固定する工程とが必要になるという問題点があった。
【０００８】
さらに、特許文献３に開示された玉軸受用波形保持器では、保持器を構成する２素子を溶接で結合固定しており、溶接に起因する微小金属粉（チリ）の発生を少なくすることが成されているが、まれに金属粉（チリ）が発生し得るという問題点があった。
【０００９】
本発明は、このような従来の技術が有する問題点に着目してなされたもので、溶接による結合固定はせず、保持器を構成する部材の数を最小限にするとともに部材の形状の簡易化により、製造コストを低減できるようにした波形保持器および該波形保持器を備えた軸受を提供することを目的としている。
【課題を解決するための手段】
【００１０】
かかる目的を達成するための本発明の要旨とするところは、次の各項の発明に存する。
［１］軸受の外輪と内輪との間に介装され、複数の転動体（３０）を挟むようにして分離保持する波形保持器（１）において、
転動体（３０）を保持する湾曲した保持部（１１，２１）と平坦な結合部（１２，２２）とが交互に円環状に形成された一対の保持部材（１０，２０）を備え、
前記一対の保持部材（１０，２０）の一方は、前記結合部（１２）に穿設された貫通孔（１３）を有し、
前記一対の保持部材（１０，２０）の他方は、前記結合部（２２）に前記一方の保持部材（１０）の前記貫通孔（１３）に挿入される、筒状に突出した結合突起部（２３）を有し、
前記一対の保持部材（１０，２０）は、前記貫通孔（１３）に挿入した前記結合突起部（２３）の先端側を拡径して加締めることによって結合固定したことを特徴とする波形保持器（１）。
【００１１】
［２］軸受の外輪と内輪との間に介装され、複数の転動体（３０）を挟むようにして分離保持する波形保持器（１）において、
転動体（３０）を保持する湾曲した保持部（１１，２１）と平坦な結合部（１２，２２）とが交互に円環状に形成された一対の保持部材（１０，２０）を備え、
前記一対の保持部材（１０，２０）の一方は、前記結合部（１２）に前記保持部（１１）が湾曲する方向に拡径するよう穿設された貫通孔（１３）を有し、
前記一対の保持部材（１０，２０）の他方は、前記結合部（２２）に前記一方の保持部材（１０）の前記貫通孔（１３）に挿入される、筒状に突出した結合突起部（２３）を有し、
前記一対の保持部材（１０，２０）は、前記貫通孔（１３）に挿入した前記結合突起部（２３）の先端側を拡径して加締めることによって結合固定したことを特徴とする波形保持器（１）。
【００１２】
［３］前記貫通孔（１３）の拡径角度（θ）は、略３０度であることを特徴とする項［２］に記載の波形保持器（１）。
【００１３】
［４］前記結合突起部（２３）は、前記貫通孔（１３）に挿入して加締めたときに先端が前記貫通孔（１３）から突き出ない長さであることを特徴とする項［２］または［３］に記載の波形保持器（１）。
【００１４】
［５］前記項［１］から［４］のいずれか一項に記載の波形保持器（１）を備えた軸受。
【００１５】
前記本発明は次のように作用する。  
波形保持器（１）は、一対の円環状の保持部材（１０，２０）の結合部（１２，２２）同士を結合固定して構成されている。一対の保持部材（１０，２０）同士の結合固定は、一方の保持部材（１０）の結合部（１２）に形成された貫通孔（１３）に他方の保持部材（２０）の結合部（２２）に形成された結合突起部（２３）を挿入する。全ての結合部（１２）の貫通孔（１３）に全ての結合突起部（２３）を挿入してから結合突起部（２３）の先端側を拡径して加締める。例えば、先端がテーパー状になった金属棒を一方の保持部材（１０）側から結合部（１２）の貫通孔（１３）に押入すればよい。
【００１６】
このように結合固定した波形保持器（１）は、結合固定された結合部（１２，２２）を貫通する連通孔（２４）が形成されているので、例えば波形保持器（１）を組み込んだ軸受がグリースを片側から封入するものであっても、結合部（１２，２２）を貫通する連通孔（２４）を通して波形保持器（１）の反対側にも封入することができるので、転動体（３０）にグリースを均等に供給できる。
【００１７】
一方の保持部材（１０）の貫通孔（１３）を保持部（１１）が湾曲する方向に拡径したものとすることにより、貫通孔（１３）に挿入した他方の保持部材（２０）の結合突起部（２３）の先端側を拡径して加締めたときに、一対の保持部材（１０，２０）は分離したり、互いの位置がずれたりすることなく、確実に強固に結合固定することができる。このように結合固定された波形保持器（１）は、湾曲した保持部（１１，２１）同士が転動体（３０）を保持する空間（１００）を形成する。
【００１８】
貫通孔（１３）が拡径する角度（θ）は、略３０度であることが強度等の点で好ましい。また結合突起部（２３）は、貫通孔（１３）に挿入して加締めたときに先端が貫通孔（１３）から突き出ない長さとし、結合部（１２）に不要な突起がないようにすることが好ましい。
【００１９】
このような波形保持器（１）を構成する一対の保持部材（１０，２０）は、結合部（１２，２２）に貫通孔（１３）を有するのか結合突起部（２３）を有するのかが唯一の相違であり、貫通孔（１３）および結合突起部（２３）は簡易な構造のものであるので、波形保持器（１）の製造コストを低減させることができる。
【００２０】
また、このような波形保持器（１）を備えた軸受は、軸受の製造コストを低減することができる。
【発明の効果】
【００２１】
本発明にかかる波形保持器によれば、一方の保持部材の結合部に穿設した貫通孔に他方の保持部材の結合部に設けた筒状の結合突起部を挿入し、結合突起部の先端を拡径して加締めることにより保持部材同士を結合固定するので、保持部材同士の形状の差異が小さく、構造も簡易であるので、製造コストを低減させることができる。
【００２２】
また、本発明にかかる波形保持器を組み込んだ軸受の片側からグリースを供給しても、波形保持器の結合部を貫通する孔を通して保持器の反対側にもグリースを供給することができるので、転動体へ均等にグリースを供給することができ、以って、転動体への均等な潤滑に寄与することができる。
【図面の簡単な説明】
【００２３】
【図１】本発明の一実施の形態に係る波形保持器の一部を拡大して示す一部正面図である。
【図２】本発明の一実施の形態に係る波形保持器を示す平面図である。
【図３】図１における一方の保持部材の一部を拡大して示す一部正面図である。
【図４】図１における他方の保持部材の一部を拡大して示す一部正面図である。
【図５】図３の保持部材の貫通孔に図４の保持部材の結合突起部を挿入した状態の一つの結合部を拡大して示す正面図である。
【図６】一対の保持部材を結合固定した状態の一つの結合部を拡大して示す正面図である。
【発明を実施するための形態】
【００２４】
以下、図面に基づき本発明の好適な一実施の形態を説明する。  
各図は本発明の一実施の形態を示している。  
図１は、本発明の一実施の形態に係る波形保持器の一部を正面から見た拡大図であり、図２は波形保持器の全体を示す平面図である。図３は、一対の保持部材のうち一方の保持部材の一部を示し、図４は、一対の保持部材のうち他方の保持部材の一部を示している。
本実施の形態に係る波形保持器１は、ラジアル軸受の外輪と内輪との間に介装され、スチール製あるいはセラミック製の複数の転動体３０を挟むようにして分離保持するものである。
【００２５】
図１に示すように、波形保持器１は、一対の保持部材１０，２０を合わせて結合固定して成る。一対の保持部材１０，２０は、何れも転動体３０を保持する円弧状に湾曲した保持部１１，２１と平坦な結合部１２，２２、とが交互に等間隔に形成されており、図２に示すように全体として円環状を成している。結合部１２，２２を結合固定した波形保持器１は、湾曲した保持部１１，２１同士の環に転動体３０を保持する空間１００が形成されている。
【００２６】
図２において、想像線１１１は、本実施の形態に係る波形保持器１を備える軸受の外輪の外周面の位置を示し、想像線１１２は、同じく外輪の内周面が転動体３０と接する位置を示している。また、想像線１２１は、同じく軸受の内輪の内周面の位置を示し、想像線１２２は、同じく内輪の外周面が転動体３０と接する位置を示している。
【００２７】
保持部１１，２１の内周面の径は、保持する転動体３０の外径よりも大きい。このような保持部１１，２１を有する一対の保持部材１０，２０は、それぞれ金属板をプレス成形して製造される。
【００２８】
図３にも示すように、一対の保持部材１０，２０のうち一方の保持部材１０は、各結合部１２の中央に円形の貫通孔１３が穿設されている。この貫通孔１３は、保持部１１が湾曲して膨らんでいる側に向かって拡径している。その拡径角度θは、３０度が好ましいが３０度を中心にした前後の角度であってもよい。
【００２９】
図４にも示すように、一対の保持部材１０，２０のうち一方の保持部材２０は、各結合部２２の中央に円筒状に突起した結合突起部２３が形成されている。この結合突起部２３は、保持部２１が湾曲して膨らんでいる側とは反対側に向かって突き出ている。保持部材２０を保持部材１０に結合固定する以前の結合突起部２３の外径および内径は一定である。また、結合突起部２３の外径は、保持部材１０の貫通孔１３の最小径と略同じ大きさであるが、僅かに小さい。筒状の結合突起部２３の内側は、保持部材２０を保持部材１０に結合固定しても塞がれることなく、結合部１２，２２を貫通して波形保持器１の両側を連通する連通孔２４として残る。
【００３０】
このような一対の保持部材１０，２０は、結合部１２，２２に貫通孔１３が穿設されているか結合突起部２３が形成されているかの違いがあるだけである。
【００３１】
図５は、保持部材１０の結合部１２の貫通孔１３に保持部材２０の結合突起部２３を挿入した状態を示している。結合部１２と結合部２２とは互いに面接触している。結合突起部２３は、貫通孔１３に挿入された状態で先端が貫通孔１３から突き出ない高さになっている。貫通孔１３は拡径されているので、貫通孔１３が結合部２２に接する付近では、貫通孔１３の内径が結合突起部２３の外径と略同じになっているが、結合突起部２３の先端に近づくにつれて結合突起部２３の周囲の空間は連続的に広がっている。
【００３２】
図６は、保持部材１０と保持部材２０とを結合固定した状態を示している。保持部材２０の結合突起部２３は、保持部材１０の貫通孔１３に挿入された状態で拡径されている。
【００３３】
次に本実施の形態に係る波形保持器の作用を説明する。  
一対の円環状の保持部材１０，２０の結合部１２，２２同士を結合固定して波形保持器１とすることは容易にできる。
【００３４】
先ず、一方の保持部材１０の各結合部１２に形成された貫通孔１３に他方の保持部材２０の各結合部２２に形成された結合突起部２３を挿入して図５に示した状態にする。  
次に、この状態を固定しておき、結合突起部２３の先端側を拡径して加締める。例えば、先端がテーパー状に尖った金属棒を一方の保持部材１０側から連通孔２４へ矢印Ａ方向に押入する。金属棒の押入が進むにつれて結合突起部２３はその先端側から連通孔２４が拡径される。
【００３５】
連通孔２４が拡径されて結合突起部２３の外周面が貫通孔１３の内周面に密接した図６に示した状態になると、結合突起部２３はそれ以上拡径されず、拡径による加締めの工程は終了して保持部材１０と保持部材２０との結合固定が完了する。このとき、前記のように連通孔２４は波形保持器１の両側を連通するように残っている。
【００３６】
結合突起部２３は先端に近いほど拡径されているので、一対の保持部材１０，２０は、分離したり、互いの位置がずれたりすることなく、確実に強固に結合固定されている。このような波形保持器１は、軸受に組み込まれた状態で該軸受の片側のみからグリースが封入される場合でも、結合部１２，２２を連通孔２４が貫通しているので、この連通孔２４を通してグリースを波形保持器１の反対側にも供給することができる。
【００３７】
以上のように波形保持器１を構成する一対の保持部材１０，２０の相違は、結合部１２，２２に貫通孔１３を有するか結合突起部２３を有するかだけである。さらに、貫通孔１３および結合突起部２３は簡易な構造のものであり、必要な部材は最小限の２つで済むので、波形保持器１の製造コストを低減させることができる。
【００３８】
また、保持部材１０，２０の結合固定は、保持部材１０の貫通孔１３に保持部材２０の結合突起部２３を挿入して結合突起部２３を拡径させて加締めるだけなので、工程が容易であり、また、溶接はしないので溶接に起因する微小金属粉の発生は皆無である。
【００３９】
なお、本発明の実施の形態を図面によって説明してきたが、具体的な構成は前述したような実施の形態に限られるものではなく、本発明の要旨を逸脱しない範囲における変更や追加があっても本発明に含まれる。例えば、本実施の形態では、貫通孔１３が連続的に拡径したものとして示したが、段階的に拡径したものでもよい。また、保持部材１０と保持部材２０を結合固定した状態で結合突起部２３の先端部が貫通孔１３よりも突出したものであってもよい。
【符号の説明】
【００４０】
１…波形保持器
１０…保持部材
１１…保持部
１２…結合部
１３…貫通孔
２０…保持部材
２１…保持部
２２…結合部
２３…結合突起部
２４…連通孔
３０…転動体
１００…空間
θ…拡径角度
【図１】
2013142450.tif 000003
【図２】
2013142450.tif 000004
【図３】
2013142450.tif 000005
【図４】
2013142450.tif 000006
【図５】
2013142450.tif 000007
【図６】
2013142450.tif 000008